(57)【要約】【課題】石厚の薄い石材を内装壁材に使用する場合、剥落を確実に防止でき、積上げ方式で石張りするときに下段の石材の付着強度発現をまたずに上段の石材を施工でき、施工性の向上を図ることができる内装壁の石張り工法を得る。【解決手段】石厚の薄い内装壁としての石材１を縦横方向に石張りする工法において、上下に位置する石材１の水平ジョイント部に断面Ｔ字形の接続金物３を配設し、このＴ字形の接続金物３の頂部を垂直部３ａとし、下部を水平部３ｂとして、石材１の表面を垂直部３ａに当接し、石材１の下部を水平部３ｂで支持する。【選択図】        図１
2009002037.tif 000002
【特許請求の範囲】
【請求項１】
石厚の薄い内装壁としての石材を縦横方向に石張りする工法において、上下に位置する石材の水平ジョイント部に断面Ｔ字形の接続金物を配設し、このＴ字形の接続金物の頂部を垂直部とし、下部を水平部として、石材の表面を垂直部に当接し、石材の下部を水平部で支持することを特徴とする内装壁の石張り工法。
【請求項２】
前記接続金物をステンレス製とし、垂直部の表面を鏡面仕上げとする請求項１記載の内装壁の石張り工法。
【請求項３】
前記接続金物は、下地材に固定した取付金物であるアングル材に固定される請求項１または請求項２に記載の内装壁の石張り工法。
【発明の詳細な説明】
【技術分野】
【０００１】
本発明は、建築物の内装壁に石材を使用する場合の石張り工法に関するものである。
【背景技術】
【０００２】
建築物の内装壁として石材を使用する場合、石張り工法には種々のものがあるが、例えば乾式工法では固定金物で石材を下地に固定するもので、石材の上下端に穿設されたダボピンを取り付け、躯体側にはＬ字形の取付金物をアンカーで固定しておき、取付金物にダボピンを介して石材を固定する（例えば特許文献１参照）。
【０００３】
ダボピンなどの取り付けが可能な板厚を有する石材の場合は、前記のような取付金物による固定が可能であるが、石厚が例えば１５ｍｍ前後と、石厚の薄い石材についてはファスナーや引き金物の使用が困難であるため、接着剤で下地材に固定する接着工法が採用されている。
【０００４】
この接着工法は、図３、図４に示すように石材１の背面に団子状にした接着剤１０の複数箇所、図示の例では５箇所に貼付し、石材１を接着剤１０を介して下地２に固定するものである。
【特許文献１】特開２００２−５４２９３号公報
【発明の開示】
【発明が解決しようとする課題】
【０００５】
石厚が薄い場合は、従来は前記のように接着工法によらざるを得なかったが、石厚が薄いと石の強度が低く、汚れや下地の挙動による亀裂や割れ、剥落などの故障が発生しやすいため、剥落防止の観点から例えば高さ４ｍを超えるような高所においては、有効な工法とはいえない。
【０００６】
コンクリート下地の場合は、乾燥養生期間の長短により接着不良や収縮の影響がでやすく、剥離につながりやすい。
【０００７】
また、石張りは、積上げ式のため、下段の石材の接着強度が確保されないと、上段の施工は困難であり、施工性がよくない。
【０００８】
さらに接着剤の耐用年数についても十分に信頼性のあるものといえない場合もあり、石材の剥落防止が十分に確保できないおそれがある。
【０００９】
接着剤によっては石汚染（シミ）発生の可能性もあり、建築物の内装壁の価値が低下する。
【００１０】
本発明は前記従来例の不都合を解消するものとして、石厚の薄い石材を内装壁材に使用する場合、剥落を確実に防止でき、積上げ方式で石張りするときに下段の石材の付着強度発現をまたずに上段の石材を施工でき、施工性の向上を図ることができる内装壁の石張り工法を提供するものである。
【課題を解決するための手段】
【００１１】
請求項１記載の発明は、石厚の薄い内装壁としての石材を縦横方向に石張りする工法において、上下に位置する石材の水平ジョイント部に断面Ｔ字形の接続金物を配設し、このＴ字形の接続金物の頂部を垂直部とし、下部を水平部として、石材の表面を垂直部に当接し、石材の下部を水平部で支持することを要旨とするものである。
【００１２】
請求項１記載の本発明によれば、断面Ｔ字形の接続金物を上下に位置する石材の水平ジョイント部に配設することで、上段の石材についてはその下部が水平部で支持されるから、接続金物が自重受けとして機能し、下段の石材についてはその表面が垂直部に当接するから、接続金物が石材の面外方向への剥落防止として機能する。
【００１３】
よって、接着剤を使用せずに薄い石厚の石材を機械的方法で壁面に確実に固定できるから、積上げ方式で石張りするときに下段の石材の付着強度発現をまたずに上段の石材を施工でき、施工性の向上が図れる。
【００１４】
また、接続金物には市販の既製金物を使用できるから、部材を容易に調達でき、コスト的にも安価なものにできる。
【００１５】
請求項２記載の発明は、前記接続金物をステンレス製とし、垂直部の表面を鏡面仕上げとすることを要旨とするものである。
【００１６】
請求項２記載の本発明によれば、接続金物の、内装壁の表面に露出する部分が既に鏡面仕上げとなっているから、取付後の仕上げが不要となり工数の削減が図れる。
【００１７】
請求項３記載の発明は、前記接続金物は、下地材に固定した取付金物であるアングル材に固定されることを要旨とするものである。
【００１８】
請求項３記載の本発明によれば、接続金物にＴ字形金物を横にして使用することになるが、このＴ型金物はアングル材を介して下地に取付けられ、このアングル材も市販の既製金物の使用が可能であるから、既製金物の組合せで石材を簡単に下地に固定できる。
【発明の効果】
【００１９】
以上述べたように本発明の内装壁の石張り工法は、石厚の薄い石材を内装壁材に使用する場合、上段の石材についてはその下部が接続金物の水平部で支持されるから、接続金物が自重受けとして機能し、下段の石材についてはその表面が接続金物の垂直部に当接するから、接続金物が石材の面外方向への剥落防止として機能することで、石材の剥落を確実に防止でき、また、積上げ方式で石張りするときに下段の石材の付着強度発現をまたずに上段の石材を施工でき、施工性の向上を図ることができるものである。
【発明を実施するための最良の形態】
【００２０】
以下、図面について本発明の実施形態を詳細に説明する。図１は本発明の内装壁の石張り工法の実施形態を示す縦断側面図、図２は同上斜視図で、内装壁としての四角形の石材１を建築物の下地２に縦横方向に取付ける場合で、石材１は石厚が薄いもの、例えば１５ｍｍ程度のものとする。
【００２１】
本発明はかかる石材１を取付金物を使用して下地２に固定するもので、取付金物としてステンレス製で断面Ｔ字形の長尺な接続金物３と、これに組合されるスチール製のアングル材４とを使用する。
【００２２】
Ｔ字形の接続金物３もアングル材４もともに市販の既製金物を使用することができる。
【００２３】
かかる接続金物３とアングル材４とを使用して石材１を下地２に固定する方法を説明する。まず、下地２にＴ字形の接続金物３の取付ピッチで墨を出し、この位置にアングル材４をビス止めまたは溶接にて固定し、このアングル材４の上に墨を出す。
【００２４】
次にこの墨を規準にしてＴ字形の接続金物３の出入を調整しながら位置を決定し、Ｔ字形の接続金物３をアングル材４の上に溶接する。この状態でＴ字形の接続金物３は、Ｔ字形の頂部が外方に突出する垂直部３ａとなり、下部が水平部３ｂとしてアングル材４に溶接されることになる。
【００２５】
なお、この接続金物３の垂直部３ａの表面は予め鏡面仕上げとしておく。
【００２６】
下地２の壁面に取付用のモルタル５を団子状にして配設する。
【００２７】
そして、石材１の上部と下部とを、Ｔ字形の接続金物３の垂直部３ａと水平部３ｂとの角部の内側に挿入するようにして、石材１を下地２の前方に取付ける。
【００２８】
この場合、石材１はその上部を上方の接続金物３の内側に斜め下から挿入し、石材１を上方に持ち上げた状態にして、その後で石材１の下部を下方の接続金物３の水平部３ｂの上に落とし込むようにして垂直部３ａの内側に挿入する。この状態で、モルタル５は、石材１と下地２との隙間を充填する。
【００２９】
また、石材１を下地２の前方に取付けるとき、Ｔ字形の接続金物３が定規の役割を果し、この接続金物３を規準にして石材１の出入を調整することにより、面外方向の施工精度の向上を図ることができる。この場合、石材１の自重を接続金物３の水平部３ｂに預けた状態で取付位置の微調整を行えるから、施工性がよい。
【００３０】
このようにして下地２に取付けられた石材１は、上下に配設された接続金物３の間に配置され、上下段の水平ジョイント部に接続金物３が配設されることになるから、接続金物３の上部に位置する石材１に対しては、水平部３ｂの上面が石材１を支持することで接続金物３が石材１の自重受けとして機能し、接続金物３の下方に位置する石材１に対しては、垂直部３ａの内側が石材１の表面に当接することで接続金物３が面外方向への剥落を防止する機能を有する。
【００３１】
また、接続金物３は、垂直部３ａの表面が鏡面仕上げとなっているから、取り付け後の仕上げが不要で、施工の工数を削減できる。
【００３２】
このようにして石材１を接続金物３で保持することで、機械的な方法で石材１の剥落を防止でき、接着剤で取付ける場合に比較して、剥落防止を確実なものにできる。
【図面の簡単な説明】
【００３３】
【図１】本発明の内装壁の石張り工法の実施形態を示す縦断側面図である。
【図２】本発明の内装壁の石張り工法の実施形態を示す斜視図である。
【図３】従来の内装壁の石張り工法を示す縦断側面図である。
【図４】従来の内装壁の石張り工法を示す分解斜視図である。
【符号の説明】
【００３４】
１  石材                        ２  下地
３  接続金物                    ３ａ  垂直部
３ｂ  水平部                    ４  アングル材
５  モルタル                    １０  接着剤
【図１】
2009002037.tif 000003
【図２】
2009002037.tif 000004
【図３】
2009002037.tif 000005
【図４】
2009002037.tif 000006